(57)【要約】      （修正有）【課題】  電線とバスバーの双方を配索用導電体として使用する電気接続箱において、基板点数の削減、コンパクト化になる電気接続箱を提供する。【解決手段】  電気接続箱１は、布線板であるメイン布線板２と、サブ布線板と、上カバー４と、下カバーとを備えている。メイン布線板２の一方の面を電線が配索される布線面２ａとし、メイン布線板２の他方の面をバスバー７が配索されるバスバー配索面２ｂとし、バスバー配索面２ｂにはバスバー配索溝５を形成した。【選択図】      図１
2006311693.tif 000002
【特許請求の範囲】
【請求項１】
布線板の一方の面を電線が配索される布線面とし、前記布線板の他方の面をバスバーが配索されるバスバー配索面としたことを特徴とする電気接続箱。
【請求項２】
請求項１記載の電気接続箱であって、
前記バスバー配索面に、バスバー配索溝を設けたことを特徴とする電気接続箱。
【請求項３】
請求項１又は請求項２記載の電気接続箱であって、
前記布線板に切欠部を設け、前記バスバーに前記切欠部内で前記布線面側に突出する端子部を一体に設け、
前記布線板に組み付けされるカバーにコネクタキャビティを設け、カバーと前記布線板を組み付けした状態で、前記コネクタキャビティが前記切欠部内に挿入し、且つ、前記コネクタキャビティの底面が前記布線板のバスバー配索面の高さに位置するよう設定したことを特徴とする電気接続箱。
【請求項４】
請求項３記載の電気接続箱であって、
前記コネクタキャビティの底面に、バスバー配索溝と端子挿入孔を設けたことを特徴とする電気接続箱。
【発明の詳細な説明】
【技術分野】
【０００１】
本発明は、電線とバスバーの双方を配索用導電体として使用する電気接続箱に関する。
【背景技術】
【０００２】
この種の電気接続箱として、特許文献１に開示されたものがある。この電気接続箱１００は、図４に示すように、上側の布線板１０１と下側の布線板１０２とバスバー配索板１０３とを備えている。上側及び下側の布線板１０１，１０２の適所には複数の電線Ｗが配索されている。各電線Ｗは各布線板１０１，１０２に立設された所定の圧接端子１０４にそれぞれ圧接接続されている。バスバー配索板１０３には複数のバスバー１０５が配索されている。各バスバー１０５には端子部１０５ａが一体に設けられている。
【０００３】
下側の布線板１０２の上にバスバー配索板１０３を組み付け、このバスバー配索板１０３の上から上側の布線板１０１を組み付けることによって組み付けが完了する。この組み付けによって、各バスバー１０５の端子部１０５ａが下側及び上側の布線板１０１，１０２の各電線Ｗに選択的に圧接接続される。
【特許文献１】特開平２−１７８１７号公報
【発明の開示】
【発明が解決しようとする課題】
【０００４】
しかしながら、前記従来の電気接続箱１００では、電線Ｗを布線板１０１，１０２に、バスバー１０５をバスバー配索板１０３にそれぞれ配索するため、基板点数が多く、電気接続箱１００が大型化する等の問題があった。
【０００５】
そこで、本発明は、前記した課題を解決すべくなされたものであり、基板点数の削減、コンパクト化になる電気接続箱を提供することを目的とする。
【課題を解決するための手段】
【０００６】
請求項１の発明は、布線板の一方の面を電線が配索される布線面とし、前記布線板の他方の面をバスバーが配索されるバスバー配索面としたことを特徴とする。
【０００７】
請求項２の発明は、請求項１記載の電気接続箱であって、前記バスバー配索面に、バスバー配索溝を設けたことを特徴とする。
【０００８】
請求項３の発明は、請求項１又は請求項２記載の電気接続箱であって、前記布線板に切欠部を設け、前記バスバーに前記切欠部内で前記布線面側に突出する端子部を一体に設け、前記布線板に組み付けされるカバーにコネクタキャビティを設け、カバーと前記布線板を組み付けした状態で、前記コネクタキャビティが前記切欠部内に挿入し、且つ、前記コネクタキャビティの底面が前記布線板のバスバー配索面の高さに位置するよう設定したことを特徴とする。
【０００９】
請求項４の発明は、請求項３記載の電気接続箱であって、前記コネクタキャビティの底面に、バスバー配索溝と端子挿入孔を設けたことを特徴とする。
【発明の効果】
【００１０】
請求項１の発明によれば、バスバー配索板が不要となるため、基板点数の削減、電気接続箱のコンパクト化等になる。
【００１１】
請求項２の発明によれば、請求項１の発明の効果に加え、バスバーをバスバー配索溝に沿って配索すれば良いため、バスバーの配索作業が正確に、且つ、容易にできる。
【００１２】
請求項３の発明によれば、請求項１又は請求項２の発明の効果に加え、バスバーの端子部を布線板の厚み分を考慮して長く設定する必要がなく、コネクタ用の端子部として必要最小限の長さで足りるため、バスバーの材料費の削減、端子部の強度の向上等になる。
【００１３】
請求項４の発明によれば、請求項３の発明の効果に加え、布線板の切欠部上に配索されるバスバーの箇所がコネクタキャビティのバスバー配索溝によって配索されるため、布線板の切欠部上のバスバーも正確に配索される。従って、コネクタキャビティ内の端子部は、正確な立設位置に位置し、しかも、外力によって容易に変移することがないため、コネクタ接続作業性の向上、コネクタ接続の信頼性の向上等に寄与する。
【発明を実施するための最良の形態】
【００１４】
以下、本発明の一実施形態を図面に基づいて説明する。
【００１５】
図１〜図３は本発明の一実施形態を示し、図１は電気接続箱の下方側から見た分解斜視図、図２は電気接続箱の下方側から見た斜視図、図３はメイン布線板及びサブ布線板の折り畳み前の平面図である。
【００１６】
電気接続箱１は、図１及び図２に示すように、布線板であるメイン布線板２とサブ布線板３（図３に示す）とカバーである上カバー４と下カバー（図示せず）とを備えている。
【００１７】
メイン布線板２及びサブ布線板３の上面は、図３に示すように、布線面２ａ，３ａとして形成されている。布線面２ａ，３ａには、複数の電線Ｗが所定の配索経路に沿って配索されている。各電線Ｗは、メイン布線板２及びサブ布線板３の所望の端子圧入孔（図示せず）上を配索経路として配索されている。各端子圧入孔には圧接端子（図示せず）がそれぞれ圧入される。圧接端子は、圧入によってメイン及びサブ布線板２，３上に立設されると共に電線Ｗに圧接接続される。立設された各圧接端子は、上カバー４が組み付けされた状態では、上カバー４の各種キャビティ内にそれぞれ配置される。尚、図３では、端子圧入孔及び圧接端子の位置が白抜きの四角形で表示されている。
【００１８】
又、サブ布線板３は、電線Ｗの配索後にメイン布線板２に折り畳まれれた状態とされ、この状態で互いに固定される。
【００１９】
図１及び図２に戻り、メイン布線板２の下面の一部は、バスバー配索面２ｂとして形成されている。バスバー配索面２ｂには、複数のバスバー配索溝５が形成されている。又、各バスバー配索溝５の適所には、端子挿入孔６がそれぞれ開孔されている。複数のバスバー７は、各バスバー配索溝５にはめ込まれることによってバスバー配索面２ｂ上に配置されている。各バスバー７は、それぞれ所望の配索経路に沿った形態を有し、適所に端子部７ａが一体に設けられている。各端子部７ａは、端子挿入孔６に挿入されている。挿入された端子部７ａの先端側は、布線面２ａより突出されている。布線面２ａより突出された端子部７ａは、上カバー４が組み付けされた状態では、上カバー４の各種キャビティ内にそれぞれ配置される。
【００２０】
又、メイン布線板２の両角位置には切欠部１０がそれぞれ形成されている。バスバー７は、この切欠部１０内にも配索されている。切欠部１０内に配索されたバスバー７の箇所には、布線面２ａ側に突出する端子部７ａが一体に設けられている。
【００２１】
上カバー４は、メイン布線板２の布線面２ａ側に組み付けされる。上カバー４にはヒューズキャビティ（図示せず）、リレーキャビティ（図示せず）、コネクタキャビティ１１，（図示せず）等の各種キャビティが一体に設けられている。上カバー４の両角位置に位置するコネクタキャビティ１１は、上カバー４とメイン布線板２が組み付けされた状態で、各切欠部１０内に挿入し、且つ、コネクタキャビティ１１の底面１１ａがメイン布線板２のバスバー配索面２ｂの高さ位置と同じになるよう他の面より下方に突設されている。各コネクタキャビティ１１の底面１１ａには、バスバー配索溝１２が形成されている。バスバー配索溝１２の適所にはタブ挿入孔１３が開孔されている。
【００２２】
下カバー（図示せず）は、メイン布線板２のバスバー配索面２ｂ側に組み付けされる。下カバーには取付ブラケット部（図示せず）が設けられている。この取付ブラケット部を介して電気接続箱１は、車体（図示せず）に取り付けされる。
【００２３】
この電気接続箱１では、メイン布線板２の一方の面を電線Ｗが配索される布線面２ａとし、メイン布線板２の他方の面をバスバー７が配索されるバスバー配索面２ｂとしたので、従来例のようなバスバー配索板が不要となるため、基板点数の削減、電気接続箱１のコンパクト化等になる。
【００２４】
この実施形態では、バスバー配索面２ｂにバスバー配索溝５を設けたので、バスバー７をバスバー配索溝５に沿って配索すれば良いため、バスバー７の配索作業が正確に、且つ、容易にできる。
【００２５】
この実施形態では、メイン布線板２に切欠部１０を設け、バスバー７に切欠部１０内で布線面２ａ側に突出する端子部７ａを一体に設け、メイン布線板２に組み付けされる上カバー４にコネクタキャビティ１１を設け、上カバー４とメイン布線板２を組み付けした状態で、コネクタキャビティ１１が切欠部１０内に挿入し、且つ、コネクタキャビティ１１の底面１１ａがメイン布線板２のバスバー配索面２ｂの高さに位置するように設定したので、バスバー７の端子部７ａをメイン布線板２の厚み分を考慮して長く設定する必要がなく、コネクタ用の端子部７ａとして必要最小限の長さで足りるため、バスバー７の材料費の削減、端子部７ａの強度の向上等になる。
【００２６】
この実施形態では、コネクタキャビティ１１の底面１１ａに、バスバー配索溝１２を設けると共に端子挿入孔１３を開孔したので、メイン布線板２の切欠部１０上に配索されるバスバー７の箇所がコネクタキャビティ１１のバスバー配索溝１２によって配索されるため、メイン布線板２の切欠部１０上のバスバー７も正確に配索される。従って、コネクタキャビティ１１内の端子部７ａは、正確な立設位置に位置し、しかも、外力によって容易に変移することがないため、コネクタ接続作業性の向上、コネクタ接続の信頼性の向上等に寄与する。
【００２７】
尚、この実施形態では、布線板は、メイン布線板２とサブ布線板３の二枚であり、その内のメイン布線板２のみにバスバー配索面２ｂを形成したが、メイン布線板２よりサブ布線板３側を広く設定してサブ布線板３にバスバー配索面を設けても良いことはもちろんである。又、布線板は一枚でも、又、三枚以上でも良いことはもちろんである。
【図面の簡単な説明】
【００２８】
【図１】本発明の一実施形態を示し、電気接続箱の下方側から見た分解斜視図である。
【図２】本発明の一実施形態を示し、電気接続箱の下方側から見た斜視図である。
【図３】本発明の一実施形態を示し、メイン布線板及びサブ布線板の折り畳み前の平面図である。
【図４】従来例の電気接続箱の分解斜視図である。
【符号の説明】
【００２９】
１  電気接続箱
２  メイン布線板（布線板）
２ａ  布線面
２ｂ  バスバー配索面
４  上カバー（カバー）
５，１２  バスバー配索溝
６，１３  端子挿入孔
７  バスバー
７ａ  端子部
１０  切欠部
１１  コネクタキャビティ
１１ａ  コネクタキャビティの底面
Ｗ  電線
【図１】
2006311693.tif 000003
【図２】
2006311693.tif 000004
【図３】
2006311693.tif 000005
【図４】
2006311693.tif 000006